(57)【要約】【課題】  組み合わせた組み合せ端子をスムーズに取り外すことができる組み合せ端子用治具を提供する。【解決手段】  複数個の組み合せ端子12ａ、12ｂの挿通孔13を先細りの合わせガイド20に通し、その上から押圧部30により押圧して受圧部40との間に複数個の組み合せ端子12ａ、12ｂを挟んで、押圧力により複数個の組み合せ端子12ａ、12ｂを組み合わせる。その後、受圧部40を合わせガイド20に沿って移動させることにより、組み合せ端子12ａ、12ｂを合わせガイド20から引き抜く。従って、受圧部40の移動により組み合せ端子12ａ、12ｂを合わせガイド20から引き抜くので、従来のように組み合せ端子12ａ、12ｂが斜めになって合わせガイド20に引っ掛かって破損したり変形したりするという問題を解消できる。【選択図】  図１
2005044757.tif 000002
【特許請求の範囲】
【請求項１】
組み合せ端子に設けられた挿通孔を貫通する先細り形状の合わせガイドと、前記合わせガイドに取付けられた組み合せ端子を支持する受圧部とを備えた組み合せ端子用治具であって、
前記受圧部を、前記合わせガイドの基端部に当該合わせガイドに沿って往復移動自在に設けたことを特徴とする組み合せ端子用治具。
【請求項２】
前記受圧部が内部空間を有する柱状部材であり、前記合わせガイドに設けられているストッパ突起を前記内部空間に含んで常に合わせガイドに沿ってまっすぐに往復移動するように移動量を制限することを特徴とする請求項１に記載した組み合せ端子用治具。
【請求項３】
組み合せ端子に設けられた挿通孔を貫通する先細り形状の合わせガイドと、前記合わせガイドに取付けられた組み合せ端子を支持する受圧部とを備えた組み合せ端子用治具であって、
前記受圧部を基台に固設するとともに、前記合わせガイドを前記受圧部を貫通して当該受圧部から出没可能に設けたことを特徴とする組み合せ端子用治具。
【請求項４】
前記合わせガイドを常時前記受圧部から突出する方向へ付勢する付勢手段を設けるとともに、前記合わせガイドに前記受圧部の外部に突出する取手を設け、前記合わせガイドに取付けられている前記組み合せ端子を取り出す際に、前記取手を押し下げて前記合わせガイドを下降させることを特徴とする請求項３に記載した組み合せ端子用治具。
【発明の詳細な説明】
【技術分野】
【０００１】
本発明は、複数の組み合せ端子を組み合わせるための組み合せ端子用治具に関する。
【背景技術】
【０００２】
従来より、組み合せ端子用治具としてのアース端子の連結具が知られている（例えば特許文献１参照）。
【０００３】
図７に示すように、このアース端子の連結具100は、連結具本体110と連結補助具120から構成されている。
【０００４】
連結具本体110は、頂部111側が先細り状のテーパ形状に形成されたガイド部112を有しており、このガイド部112の下端から肩部113までは、一定高さに設定された水平部が連続している。
【０００５】
また、ガイド部112では、頂部111がアース端子101ａ、101ｂの挿通孔の開口幅よりも小径に設定され、水平部の近傍では開口幅よりも大径となっている。
【０００６】
一方、連結補助具120は、一部が中空に形成されたロッド121と、ロッド121の端部に固定されたハンドルとしての握り玉122とで構成されており、ロッド121の自由端には有底の導入穴123が開口している。
【０００７】
導入穴123は、連結具100の頂部111から肩部113までを挿入可能な深さに設定されている。
【特許文献１】特開２０００−６８０２２号公報（図１）
【発明の開示】
【発明が解決しようとする課題】
【０００８】
ところで、図８（Ａ）〜（Ｄ）には、前述した連結具100により複数のアース端子101ａ、101ｂを連結させる工程が示されている。
【０００９】
図８（Ａ）に示すように、単品状態の各アース端子101ａ、101ｂを、図８（Ｂ）に示すように仮止めする。そして、図８（Ｃ）に示すように、仮止め状態の各アース端子101ａ、101ｂの挿通孔102をガイド部112に通した後、ガイド部112に連結補助具120のロッド121の導入穴123を被せ、押圧して肩部113に押し付けて、図８（Ｄ）に示すように、組み合わせる。
【００１０】
そして、連結補助具120を取り外して、組み合わされたアース端子101ａ、101ｂをガイド部112から取り出す。
【００１１】
この際に、図９に示すように、アース端子101ａ、101ｂを斜め（例えば、図９中矢印方向）に引っ張ると、アース端子101ａ、101ｂがガイド部112に引っ掛かってアース端子101ａ、101ｂに無理な力が作用し、例えば点Ｐのような応力集中点から破損する虞れがあるという不都合があった。
【００１２】
本発明は、前述した問題点に鑑みてなされたものであり、その目的は組み合わせた組み合せ端子を破損したり変形させることなくスムーズに取り外すことができる組み合せ端子用治具を提供することにある。
【課題を解決するための手段】
【００１３】
前述した目的を達成するために、本発明は、組み合せ端子に設けられた挿通孔を貫通する先細り形状の合わせガイドと、前記合わせガイドに取付けられた組み合せ端子を支持する受圧部とを備えた組み合せ端子用治具であって、前記受圧部を、前記合わせガイドの基端部に当該合わせガイドに沿って往復移動自在に設けたことを特徴としている。
【００１４】
このように構成された組み合せ端子用治具においては、複数個の組み合せ端子の挿通孔を先細りの合わせガイドに通し、その上から押圧して受圧部との間に複数個の組み合せ端子を挟んで、押圧力により複数個の組み合せ端子を組み合わせる。その後、受圧部を合わせガイドに沿って移動させることにより、組み合せ端子を合わせガイドから引き抜く。
【００１５】
従って、この組み合せ端子用治具においては、受圧部の移動により組み合せ端子を合わせガイドからまっすぐに引き抜くので、従来のように組み合せ端子が斜めになって合わせガイドに引っ掛かって破損したり変形したりするという問題を解消できることになる。
【００１６】
また、本発明は、前記受圧部が内部空間を有する柱状部材であり、前記合わせガイドに設けられているストッパ突起を前記内部空間に含んで常に合わせガイドに沿ってまっすぐに往復移動するように移動量を制限することを特徴としている。
【００１７】
このように構成された組み合せ端子用治具においては、受圧部は合わせガイドに設けられているストッパ突起により往復移動量を制限されており、この往復移動量の範囲内では受圧部は常に合わせガイドに対してまっすぐに移動するように保持されることになる。
【００１８】
従って、この組み合せ端子用治具においては、受圧部をまっすぐに移動させて組み合せ端子を合わせガイドから引き抜くので、従来のように組み合せ端子が斜めになって合わせガイドに引っ掛かって破損したり変形したりするという問題を解消できることになる。
【００１９】
また、前述した目的を達成するために、本発明は、組み合せ端子に設けられた挿通孔を貫通する先細り形状の合わせガイドと、前記合わせガイドに取付けられた組み合せ端子を支持する受圧部とを備えた組み合せ端子用治具であって、前記受圧部を基台に固設するとともに、前記合わせガイドを前記受圧部を貫通して当該受圧部から出没可能に設けたことを特徴としている。
【００２０】
このように構成された組み合せ端子用治具においては、複数個の組み合せ端子の挿通孔を先細りの合わせガイドに通し、その上から押圧して受圧部との間に複数個の組み合せ端子を挟んで、押圧力により複数個の組み合せ端子を組み合わせる。その後、合わせガイドを受圧部から没するように移動させることにより、組み合わされた組み合せ端子は合わせガイドからはずされる。
【００２１】
従って、この組み合せ端子用治具においては、組み合せ端子が受圧部に載った状態で合わせガイドの移動により組み合せ端子を合わせガイドから引き抜くので、従来のように組み合せ端子が斜めになって合わせガイドに引っ掛かって破損したり変形したりするという問題を解消できることになる。
【００２２】
また、本発明は、前記合わせガイドを常時前記受圧部から突出する方向へ付勢する付勢手段を設けるとともに、前記合わせガイドに前記受圧部の外部に突出する取手を設け、前記合わせガイドに取付けられている前記組み合せ端子を取り出す際に、前記取手を押し下げて前記合わせガイドを下降させることを特徴としている。
【００２３】
このように構成された組み合せ端子用治具においては、合わせガイドは付勢手段により常時受圧部から突出する方向に付勢されているので、組み合せ端子を容易にセットできる。また、取手を押し下げることにより合わせガイドは受圧部の内部に引っ込むので、組み合せ端子を容易に取り出すことができる。
【００２４】
従って、この組み合せ端子用治具においては、組み合せ端子に対して合わせガイドをまっすぐに移動させて組み合せ端子から合わせガイドを引き抜くので、従来のように組み合せ端子が斜めになって合わせガイドに引っ掛かって破損したり変形したりするという問題を解消できることになる。
【発明の効果】
【００２５】
本発明によれば、受圧部の移動により組み合せ端子を合わせガイドから引き抜くので、従来のように組み合せ端子が斜めになって合わせガイドに引っ掛かって破損したり変形したりするという問題を解消できることになる。
【００２６】
あるいは、組み合せ端子に対して合わせガイドをまっすぐに移動させて組み合せ端子から合わせガイドを引き抜くので、従来のように組み合せ端子が斜めになって合わせガイドに引っ掛かって破損したり変形したりするという問題を解消できることになる。
【発明を実施するための最良の形態】
【００２７】
以下、本発明に係る実施形態を図面に基づいて詳細に説明する。図１（Ａ）は本発明に係る第１実施形態を示す正面図、図１（Ｂ）は図１（Ａ）中Ｂ−Ｂ位置の断面図である。
【００２８】
図１（Ａ）および（Ｂ）に示すように、本発明の第１実施形態である組み合せ端子用治具10Ａは、基台11Ａに取付けられた先細り形状の合わせガイド20Ａと、この合わせガイド20Ａの先端部に沿って移動し当該合わせガイド20Ａに通した複数個（ここでは、例えば２個）の組み合せ端子12ａ、12ｂを押圧して組み合わせる押圧部30とを有している。
【００２９】
さらに、合わせガイド20Ａの外側には、組み合せ端子12ａ、12ｂの組合せ時に組み合せ端子12ａ、12ｂを下から支持するとともに、押圧部30からの押圧力を受ける受圧部40Ａを有している。
【００３０】
合わせガイド20Ａは先端部（図１においては上端部）に向かって細くなるテーパ部21を有する円錐台形状をしており、テーパ部21の下側にある大径部22の外径は、組み合せ端子12ａ、12ｂの挿通孔13の内径よりも僅かに小さくなっている。なお、大径部22には、ストッパ突起23が設けられている。
【００３１】
従って、組み合せ端子12ａ、12ｂの挿通孔13を合わせガイド20Ａの先端から通すことにより、複数個の組み合せ端子12ａ、12ｂの挿通孔13は同心上に揃えられる。
【００３２】
押圧部30は、円形断面あるいは多角形断面の柱状をしており、合わせガイド20Ａに被せたときに、合わせガイド20Ａを内包する内部空間31を有している。
【００３３】
この内部空間31は、合わせガイド20Ａの外径よりも若干大きめの内径と、合わせガイド20Ａに被せて押圧部30下面の押圧面32が受圧部40Ａ上面の受圧面41に当接したときに合わせガイド20Ａを完全に内包できる高さを有している。
【００３４】
受圧部40Ａは、円形断面あるいは多角形断面の柱状をしており、内部には内部空間42を有している。上面には、組み合せ端子12ａ、12ｂを下側から支持して押圧部30からの押圧力を受ける受圧面41を有している。また、受圧面41および底板44には、前述した合わせガイド20Ａの大径部22が挿通可能な大きさの穴43が設けられている。
【００３５】
従って、受圧部40Ａは、合わせガイド20Ａに沿って往復移動（ここでは上下移動）可能となっている。なお、合わせガイド20Ａに設けられているストッパ突起23が内部空間42に含まれるとともに、ストッパ突起23は穴43を通ることができないので、受圧部40Ａの往復移動量は制限されており、合わせガイド20Ａから外れることはない。
【００３６】
次に、組み合せ端子12ａ、12ｂの組合せ動作について説明する。図２には組合せ時の状態を示す断面図、図３は組み合せ端子12ａ、12ｂを組み合せ端子用治具10Ａから取り出す際の動作を示す断面図である。
【００３７】
図２に示すように、受圧部40Ａを基台11Ａの上に載置し、受圧面41の穴43から合わせガイド20Ａの上部を突出させる。組み合わせる複数個の組み合せ端子12ａ、12ｂを合わせガイド20Ａの上から被せ、挿通孔13に合わせガイド20Ａのテーパ部21を通して、組み合せ端子12ａ、12ｂを揃える。
【００３８】
そして、押圧部30を合わせガイド20Ａの上から被せ、下方へ押圧して受圧部40Ａの受圧面41との間に挟んで組み合せ端子12ａ、12ｂを組み合わせる。
【００３９】
組合せが完了したら、図３に示すように、押圧部30を取り除いた後に受圧部40Ａを上方へ持ち上げる。
【００４０】
このとき、受圧面41に載っている組み合せ端子12ａ、12ｂも一緒に上昇するが、合わせガイド20Ａは基台11Ａに固定されて上昇しないので、組み合せ端子12ａ、12ｂを合わせガイド20Ａから外すことができる。
【００４１】
以上、前述した組み合せ端子用治具10Ａによれば、受圧部40Ａの上昇により受圧部40Ａとともに組み合せ端子12ａ、12ｂを合わせガイド20Ａから引き抜くので、まっすぐにはずすことができる。
【００４２】
これにより、従来のように組み合せ端子12ａ、12ｂが斜めになって合わせガイド20Ａに引っ掛かって破損したり変形したりするのを防止できる。
【００４３】
次に、本発明に係る第２実施形態について説明する。図４（Ａ）は第２実施形態に係る組み合せ端子用治具を示す正面図、図４（Ｂ）は図４（Ａ）中Ｂ−Ｂ位置の断面図である。
【００４４】
なお、前述した第１実施形態に係る組み合せ端子用治具10Ａと共通する部位には同じ符号を付して、重複する説明を省略することとする。
【００４５】
図４（Ａ）および（Ｂ）に示すように、本発明の第２実施形態である組み合せ端子用治具10Ｂは、基台11Ｂに取付けられた先細り形状の合わせガイド20Ｂと、この合わせガイド20Ｂの先端部に沿って移動し当該合わせガイド20Ｂに通した複数個（ここでは、例えば２個）の組み合せ端子12ａ、12ｂを押圧して組み合わせる押圧部30とを有している。
【００４６】
さらに、合わせガイド20Ｂの外側には、組み合せ端子12ａ、12ｂの組合せ時に組み合せ端子12ａ、12ｂを下から支持するとともに、押圧部30からの押圧力を受ける受圧部40Ｂを有している。
【００４７】
合わせガイド20Ｂは先端部（図４においては上端部）に向かって細くなるテーパ部21を有しており、テーパ部21の下側にある大径部22の外径は、組み合せ端子12ａ、12ｂの挿通孔13の内径よりも僅かに小さくなっている。
【００４８】
なお、大径部22には、取手24が受圧部40Ｂの外まで突出して設けられており、この取手24と同じ高さ位置に全周にわたってはばね止め25が設けられている。また、合わせガイド20Ｂは、基台11Ｂに設けられているガイド穴11ａの真上に設けられており、基台11Ｂの上面とばね止め25との間には付勢手段であるばね14が設けられている。
【００４９】
従って、合わせガイド20Ｂは常時上方に付勢されているが、取手24を持って引き下げることにより、基台11Ｂに設けられているガイド穴11ａの中に下降することになる。
【００５０】
なお、図示はしないが、合わせガイド20Ｂは、上下方向に真っ直ぐに移動するように支持されている。
【００５１】
受圧部40Ｂは基台11Ｂの上面に固定されており、円形断面あるいは多角形断面の柱状をして、内部には内部空間42を有している。
【００５２】
側壁45には、全高にわたって上下にスリット46が設けられており、合わせガイド20Ｂの取手24が外部に突出して上下移動可能となっている。上面には、組み合せ端子12ａ、12ｂを下側から支持して押圧部30からの押圧力を受ける受圧面41を有している。
【００５３】
また、受圧面41および底板44には、前述した合わせガイド20Ｂの大径部22が挿通可能な大きさの穴43が設けられている。
【００５４】
従って、合わせガイド20Ｂは常時は受圧部40Ｂの受圧面41の穴43から上方に突出しているが、合わせガイド20Ｂの取手24を引き下げることにより、ばね14を押し縮めながら合わせガイド20Ｂは基台11Ｂのガイド穴11ａに下降するので、合わせガイド20Ｂの先端部は受圧部40Ｂの内部に没することになる。
【００５５】
次に、組み合せ端子12ａ、12ｂの組合せ動作について説明する。図５は組合せ時の状態を示す断面図、図６は組み合せ端子12ａ、12ｂを組み合せ端子用治具10Ｂから取り出す際の動作を示す断面図である。
【００５６】
図５に示すように、組み合わせる組み合せ端子12ａ、12ｂを合わせガイド20Ｂの上から被せ、挿通孔13に合わせガイド20Ｂのテーパ部21を通して、組み合せ端子12ａ、12ｂを揃える。
【００５７】
なお、このとき、合わせガイド20Ｂはばね14により上方に位置しているため、合わせガイド20Ｂの先端部は受圧面41の上方に突出している。そして、押圧部30を合わせガイド20Ｂの上から被せ、下方へ押圧して受圧部40Ｂの受圧面41との間に挟んで組み合せ端子12ａ、12ｂを組み合わせる。
【００５８】
組合せが完了したら、図６に示すように、押圧部30を取り除いた後に、合わせガイド20Ｂの取手24を引き下げ、ばね14を押し縮めながら合わせガイド20Ｂを受圧面41の下方へ引き下げる。
【００５９】
このとき、受圧面41に載っている組み合せ端子12ａ、12ｂはその位置にとどまるので、組み合せ端子12ａ、12ｂは合わせガイド20Ｂから外れることになる。
【００６０】
以上、前述した組み合せ端子用治具10Ｂによれば、合わせガイド20Ｂの下降により、組み合せ端子12ａ、12ｂを合わせガイド20Ｂから引き抜くので、まっすぐにはずすことができる。
【００６１】
これにより、従来のように組み合せ端子12ａ、12ｂが斜めになって合わせガイド20Ｂに引っ掛かって破損したり変形したりするのを防止できる。
【００６２】
なお、本発明の組み合せ端子用治具は、前述した各実施形態に限定されるものでなく、適宜な変形，改良等が可能である。
【００６３】
例えば、スリット46には、端子12の組み合わせ（押圧）時、ガイド20Ｂが下方に下がるのを防ぐために、取手24の引っ掛かり部（不図示）を設けてもよい。この場合、取手24を下げる時は、引っ掛かり部から取手24を解除して、取手24を押し下げる。
【００６４】
その他、前述した各実施形態において例示した付勢手段，押圧部，受圧部等の材質，形状，寸法，形態，数，配置個所等は本発明を達成できるものであれば任意であり、限定されない。
【図面の簡単な説明】
【００６５】
【図１】（Ａ）は本発明に係る第１実施形態を示す正面図、（Ｂ）は図１（Ａ）中Ｂ−Ｂ位置の断面図である。
【図２】組合せ時の状態を示す断面図である。
【図３】組み合せ端子を組み合せ端子用治具から取り外す状態を示す断面図である。
【図４】（Ａ）は本発明に係る第２実施形態を示す正面図、（Ｂ）は図４（Ａ）中Ｂ−Ｂ位置の断面図である。
【図５】組合せ時の状態を示す断面図である。
【図６】組み合せ端子を組み合せ端子用治具から取り外す状態を示す断面図である。
【図７】従来のアース端子の連結具を示す斜視図である。
【図８】（Ａ）〜（Ｄ）は、複数のアース端子を連結させる従来の工程を示す説明図である。
【図９】従来の連結具における問題点を示す斜視図である。
【符号の説明】
【００６６】
10  組み合せ端子用治具
11ｂ  基台
12ａ，12ｂ  組み合せ端子
13  挿通孔
14  ばね（付勢手段）
20  合わせガイド
23  ストッパ突起
24  取手
30  押圧部
40  受圧部
42  内部空間
【図１】
2005044757.tif 000003
【図２】
2005044757.tif 000004
【図３】
2005044757.tif 000005
【図４】
2005044757.tif 000006
【図５】
2005044757.tif 000007
【図６】
2005044757.tif 000008
【図７】
2005044757.tif 000009
【図８】
2005044757.tif 000010
【図９】
2005044757.tif 000011